(57)【要約】【課題】筐体を小型化することが目的である。【解決手段】電子機器１０において、筐体１２には、開口部２２が形成されており、スイッチ２８は、この開口部２２に対向して筐体１２内に設けられている。指紋センサモジュール３０は、開口部２２の内側に配置されている。止水部材３２は、開口部２２の開口方向を高さ方向として延びて開口部２２の内周面に密着された立壁部６６と、立壁部６６から開口部２２の内側に向けて延びて指紋センサモジュール３０を支持する腕部６８と、立壁部６６に設けられた立壁部補強材６０とを有している。【選択図】図１
2014086230.tif 000002
【特許請求の範囲】
【請求項１】
開口部が形成された筐体と、
前記開口部に対向して前記筐体内に設けられたスイッチと、
前記開口部の内側に配置されたキートップ部材と、
前記開口部の開口方向を高さ方向として延びて前記開口部の内周面に密着された立壁部と、前記立壁部から前記開口部の内側に向けて延びて前記キートップ部材を支持する腕部と、前記立壁部に設けられた立壁部補強材とを有する止水部材と、
を備えた電子機器。
【請求項２】
前記腕部は、前記キートップ部材と前記スイッチとの間に位置すると共に、前記立壁部の高さ方向の中間部から前記開口部の内側且つ前記キートップ部材側に向けて延び、
前記キートップ部材は、前記開口部の開口方向と直交し且つ前記腕部と前記立壁部との接続部を通過する仮想中心線を跨いだ前記腕部の反転動作を伴って前記スイッチを押下する、
請求項１に記載の電子機器。
【請求項３】
前記開口部、前記スイッチ、及び、前記キートップ部材の中心軸線は、前記筐体の厚み方向に対して傾斜されている、
請求項１又は請求項２に記載の電子機器。
【請求項４】
前記スイッチを支持する支持部と、前記支持部から前記開口部側へ延出する延出部とを有するホルダ部材を備え、
前記立壁部の基端部は、前記延出部の先端部に固定されている、
請求項１〜請求項３のいずれか一項に記載の電子機器。
【請求項５】
前記立壁部補強材は、前記立壁部の高さ方向を高さ方向として延びる補強本体部と、この補強本体部の基端部から前記開口部の外側へ折り曲げられた折曲部とを有し、
前記折曲部は、前記開口部における前記延出部側の開口の縁部と前記延出部の先端部との間に挟持されている、
請求項４に記載の電子機器。
【発明の詳細な説明】
【技術分野】
【０００１】
本願の開示する技術は、電子機器に関する。
【背景技術】
【０００２】
従来、開口部が形成された筐体と、開口部に対向して筐体内に設けられたスイッチと、
開口部の内側に配置されたキートップ部材と、キートップ部材を支持する共に開口部からの水の侵入を阻止する止水部材を備えた電子機器がある。また、この電子機器のなかには、開口部の周囲にスリットが形成されると共にスリットの中に止水部材の一部が圧入されることで、開口部からの水の侵入を阻止しているものがある。
【先行技術文献】
【特許文献】
【０００３】
【特許文献１】特開２０１０−１０８７４９号公報
【特許文献２】特開２０１１−２０４４６１号公報
【発明の概要】
【発明が解決しようとする課題】
【０００４】
しかしながら、このような電子機器では、スリットを形成するための領域を筐体に確保する必要があるため、筐体の小型化が困難である。
【０００５】
そこで、本願の開示する技術は、一つの側面として、筐体を小型化することを目的とする。
【課題を解決するための手段】
【０００６】
上記目的を達成するために、本願の開示する技術によれば、筐体と、スイッチと、キートップ部材と、止水部材とを備えた電子機器が提供される。筐体には、開口部が形成されており、スイッチは、この開口部に対向して筐体内に設けられている。キートップ部材は、開口部の内側に配置されている。止水部材は、開口部の開口方向を高さ方向として延びて開口部の内周面に密着された立壁部と、立壁部から開口部の内側に向けて延びてキートップ部材を支持する腕部と、立壁部に設けられた立壁部補強材とを有している。
【発明の効果】
【０００７】
本願の開示する技術によれば、筐体を小型化することができる。
【図面の簡単な説明】
【０００８】
【図１】電子機器の斜視図である。
【図２】図１に示されるセンサユニット及びリアケースの分解斜視図である。
【図３】図１に示されるセンサユニット及びその周辺部の縦断面図である。
【図４】図３の要部拡大図である。
【発明を実施するための形態】
【０００９】
以下、本願の開示する技術の一実施形態を説明する。
【００１０】
図１に示されるように、本実施形態に係る電子機器１０は、筐体１２と、表示器１４と、センサユニット１６を備えている。なお、各図における矢印Ｔ、矢印Ｌ、及び、矢印Ｗは、電子機器１０（筐体１２）の厚み方向、長さ方向、及び、幅方向をそれぞれ示している。
【００１１】
筐体１２は、フロントケース１８及びリアケース２０を有している。このフロントケース１８及びリアケース２０は、筐体１２の厚さ方向に分割されている。フロントケース１８は、枠状に形成されており、このフロントケース１８の内側には、例えば液晶表示器等の表示器１４が組み付けられている。また、フロントケース１８及びリアケース２０の内部には、例えば制御基板やバッテリ等を有する内部ユニットが収容されており、表示器１４は、この内部ユニットの制御基板によって駆動される。
【００１２】
図３に示されるように、フロントケース１８における長さ方向の一方の縁部１８Ａ（上縁部）には、この縁部１８Ａの厚さ方向に貫通する開口部２２が形成されている。この開口部２２における筐体１２の前面側の部分２２Ａには、開口部２２の内側に突出する鍔部２４が形成されている。この鍔部２４は、開口部２２の全周に亘って形成されている。そして、この鍔部２４により、開口部２２における筐体１２の前面側の部分２２Ａは、開口部２２における筐体１２の背面側の部分２２Ｂよりも開口面積が狭くなっている。
【００１３】
センサユニット１６は、上述の開口部２２と対応する位置に配置されている。このセンサユニット１６は、ホルダ部材２６と、スイッチ２８と、指紋センサモジュール３０と、止水部材３２を有している（図２も参照）。
【００１４】
ホルダ部材２６は、図２に示されるように、リアケース２０の内側に固定されている。このホルダ部材２６は、支持部３４と延出部３６を有している。支持部３４は、図３に示されるように、板状に形成されており、上述の開口部２２と対向されている。延出部３６は、支持部３４の周縁部に沿って環状に形成されると共に、この支持部３４の周縁部から開口部２２側（筐体１２の前面側）へ延出されている。また、支持部３４には、複数のリブ３８が形成されている。この複数のリブ３８は、いずれも延出部３６と反対側（筐体１２の背面側）へ延出されている。
【００１５】
スイッチ２８は、いわゆるドームスイッチであり、基板４０、固定接点４２、及び、可動接点４４を有している。このスイッチ２８は、開口部２２に対向して筐体１２内に設けられている。基板４０は、ホルダ部材２６の支持部３４に両面テープ４６により固定されており、固定接点４２及び可動接点４４は、基板４０における開口部２２側の面に固定されている。可動接点４４は、筐体１２の前面側に膨出されており、固定接点４２に対する筐体１２の前面側に配置されている。この可動接点４４は、弾性を有しており、筐体１２の背面側へ押下されると、固定接点４２と接触される。
【００１６】
指紋センサモジュール３０は、キートップ部材の一例であり、開口部２２の内側に配置されている。この指紋センサモジュール３０は、センサ部４８と、基板５０と、スペーサ５２を有している。センサ部４８は、開口部２２の開口方向（中心軸線８２の軸方向）と直交する方向にマトリックス状に配列された複数の電極を有している。このセンサ部４８は、基板５０の表面に実装されている。このセンサ部４８は、指をセンサ部４８上に接触させた場合に、指紋による凹凸の位置に応じた信号を出力する。
【００１７】
基板５０は、上述のスイッチ２８の基板４０と平行に配置されている。この基板５０の裏面には、スペーサ５２が両面テープ５４により固定されており、このスペーサ５２は、上述の可動接点４４と対向されている。また、基板５０には、図２に示されるように、フィルム状の配線部材５６が接続されている。この配線部材５６は、後述する環状の止水部材３２の内側を通じて、リアケース２０内に設けられたコネクタ５８と接続される。
【００１８】
止水部材３２は、立壁部補強材６０、腕部補強材６２、及び、ラバー部６４を有している。立壁部補強材６０及び腕部補強材６２は、それぞれ板金製とされている。ラバー部６４は、立壁部補強材６０及び腕部補強材６２と一体成型されたものであり、立壁部６６と腕部６８を有している。立壁部６６は、図３に示されるように、開口部２２の開口方向を高さ方向として延びており、開口部２２の内周面に密着されている。この立壁部６６は、指紋センサモジュール３０の周囲に環状に形成されている。
【００１９】
腕部６８は、開口部２２の開口方向における指紋センサモジュール３０とスイッチ２８との間に位置されている。この腕部６８は、立壁部６６の高さ方向の中間部から開口部２２の内側且つ指紋センサモジュール３０側へ斜め方向に向けて延びている。なお、この腕部６８は、立壁部６６の高さ方向の中間部の一例として、立壁部６６の高さ方向の中央部よりも立壁部６６の基端部側の部分に接続されている。そして、この腕部６８の先端部６８Ａは、スイッチ２８側（筐体１２の背面側）から指紋センサモジュール３０を支持している。この腕部６８は、立壁部６６の全周に亘って形成されている。
【００２０】
立壁部補強材６０は、立壁部６６を補強するものであり、立壁部６６の高さ方向を高さ方向として延びる補強本体部７０と、この補強本体部７０の基端部から開口部２２の外側へ折り曲げられた折曲部７２とを有している。この補強本体部７０及び折曲部７２は、開口部２２の周方向に沿って環状に形成されている。補強本体部７０は、立壁部６６に埋設されており、折曲部７２は、立壁部６６の基端部から露出（突出）されている。そして、ラバー部６４に形成された立壁部６６の基端部と、折曲部７２とは、延出部３６の先端部３６Ａに両面テープ７４により固定されている。また、折曲部７２は、開口部２２における延出部３６側（筐体１２の背面側）の開口の縁部２２Ｃと、延出部３６の先端部３６Ａとの間に両面テープ７４と共に挟持されている。
【００２１】
腕部補強材６２は、立壁部補強材６０と別体とされている。この腕部補強材６２は、板状に形成されており、開口部２２の開口方向を板厚方向として配置されている。この腕部補強材６２は、腕部６８の先端部６８Ａに一体に設けられることにより、この腕部６８の先端部６８Ａを補強している。この腕部補強材６２は、指紋センサモジュール３０の基板５０の裏面に両面テープ７６により固定されている。この腕部補強材６２の中央部には、孔部７８が形成されており、これにより、止水部材３２は、全体としては環状に形成されている（図２も参照）。
【００２２】
また、立壁部６６と腕部６８の先端部６８Ａとの間に形成された腕部６８の連結部分６８Ｂは、ラバー部６４のラバーによって形成されている。そして、これにより、上述の指紋センサモジュール３０は、フロントケース１８に対して弾性支持されると共に、開口部２２の開口方向に変位可能とされている。また、指紋センサモジュール３０が指で押下されると、スペーサ５２が可動接点４４を押下し、可動接点４４が固定接点４２と接触される。
【００２３】
ここで、図４に示されるように、開口部２２の開口方向と直交し且つ腕部６８と立壁部６６との接続部を通過する線を仮想中心線８０とすると、この仮想中心線８０を跨いだ腕部６８の反転動作を伴って指紋センサモジュール３０はスイッチ２８を押下する。なお、図４において、実線で描かれた腕部６８は、反転動作前の状態を示しており、二点鎖線（想像線）で描かれた腕部６８は、反転動作後の状態を示している。
【００２４】
また、図３に示されるように、上述の開口部２２、スイッチ２８、及び、指紋センサモジュール３０は、同軸上に配置されている。この開口部２２、スイッチ２８、及び、指紋センサモジュール３０の中心軸線８２は、筐体１２の厚み方向に対して傾斜されている。つまり、この中心軸線８２は、筐体１２の表面側から裏面側に向かうに従って筐体１２の長さ方向の中央側（矢印Ｃ側）へ向かうように傾斜されている。
【００２５】
次に、本実施形態の作用及び効果について説明する。
【００２６】
以上詳述したように、本実施形態によれば、止水部材３２には、開口部２２からの水の侵入を阻止する立壁部６６と、指紋センサモジュール３０を支持する腕部６８とが一体に形成されている。また、立壁部６６は、開口部２２の内周面に密着されており、腕部６８は、立壁部６６から開口部２２の内側に向けて延びている。従って、例えば、開口部２２からの水の侵入を阻止する止水部が開口部２２よりも外側に配置された構成に比して、筐体１２を小型化することができる。
【００２７】
なお、上述の止水部が開口部２２よりも外側に配置された構成とは、例えば、開口部２２の周囲にスリットが形成されると共にスリットの中に止水部材の一部が圧入された構成がある。また、その他にも、例えば、指紋センサモジュールを支持するラバー部材と、このラバー部材の外周に配置されたホルダ部材と、このホルダ部材に外周部に設けられた止水部としてのＯリングを備えた構成がある。本実施形態に係る電子機器１０によれば、これらの構成に対して、開口部２２の内側に立壁部６６（止水部）及び腕部６８が設けられているので、筐体１２を小型化することが可能である。
【００２８】
また、立壁部６６を有する止水部材３２には、指紋センサモジュール３０を支持するための腕部６８が一体に形成されている。従って、止水のための止水部材と、指紋センサモジュール３０を支持するための支持部材とが別体とされた場合に比して、部品点数を削減することができる。これにより、組付工数を削減することができると共に、コストを下げることができる。
【００２９】
また、この電子機器１０では、腕部補強材６２及び指紋センサモジュール３０の間に設けられた両面テープ７６と、立壁部６６との二箇所で止水する構造となっている。これにより、止水する箇所が少ないので、防水性能を安定させることができる。また、立壁部６６の基端部と折曲部７２とを延出部３６の先端部３６Ａに固定する両面テープ７４は、止水部材３２よりも筐体１２の内部に位置されている。従って、この両面テープ７４が止水しなくても良いので、この両面テープ７４による接着面積を小さくすることができる。これにより、筐体１２をより一層小型化することができる。
【００３０】
また、開口部２２、スイッチ２８、及び、指紋センサモジュール３０の中心軸線８２は、筐体１２の厚み方向に対して傾斜されている。従って、筐体１２の厚み方向に沿った開口部２２、スイッチ２８、及び、指紋センサモジュール３０の投影面積を小さくすることができるので、このことによっても、筐体１２を小型化することができる。
【００３１】
また、立壁部６６は、立壁部補強材６０により補強されている。従って、この立壁部６６を開口部２２の内周面により安定して密着させることができる。しかも、立壁部６６に埋設された補強本体部７０の基端部には、折曲部７２が形成されている。従って、立壁部補強材６０の剛性、ひいては、立壁部６６の剛性を向上させることができるので、立壁部６６による止水性能をより向上させることができる。
【００３２】
また、延出部３６は、支持部３４から開口部２２側（筐体１２の前面側）へ延出されており、立壁部６６の基端部と、立壁部補強材６０に形成された折曲部７２とは、この延出部３６の先端部３６Ａに固定されている。従って、指紋センサモジュール３０が筐体１２の背面側へ押下された場合でも、この押下時の荷重を延出部３６の先端部３６Ａにより受け止めることができる。これにより、筐体１２の背面側への指紋センサモジュール３０及び止水部材３２の落ち込みを抑制することができる。また、折曲部７２は、開口部２２における延出部３６側の開口の縁部２２Ｃと延出部３６の先端部３６Ａとの間に挟持されている。従って、筐体１２の前面側への指紋センサモジュール３０及び止水部材３２の抜けも抑制することができる。
【００３３】
また、図４に示されるように、指紋センサモジュール３０が押下された際に、腕部６８は、開口部２２の開口方向と直交し且つ腕部６８と立壁部６６との接続部を通過する仮想中心線８０を跨いで反転動作する。ここで、腕部６８は、立壁部６６の高さ方向の中間部（より具体的には、立壁部６６の基端部よりも立壁部６６の先端部側であって、立壁部６６の高さ方向の中央部よりも立壁部６６の基端部側の部分）に接続されている。従って、開口部２２の開口方向と直交する方向に対する腕部６８の傾斜角度を小さくすることができるので、腕部６８が反転動作する際における腕部６８の圧縮量を小さくすることができる。これにより、指紋センサモジュール３０を押下させるのに必要な荷重を低減することができるので、指紋センサモジュール３０を押下する際の操作性を向上させることができる。
【００３４】
次に、本実施形態の変形例について説明する。
【００３５】
本実施形態では、キートップ部材の一例として、指紋センサモジュール３０が用いられていたが、指紋センサモジュール３０以外の部材がキートップ部材として用いられていても良い。
【００３６】
また、開口部２２は、フロントケース１８における長さ方向の一方の縁部１８Ａに形成されていたが、筐体１２のその他の場所に形成されていても良い。
【００３７】
また、スイッチ２８は、いわゆるドームスイッチとされていたが、ドームスイッチ２８以外でも良い。
【００３８】
また、腕部６８は、立壁部６６の高さ方向の中間部の一例として、立壁部６６の高さ方向の中央部よりも立壁部６６の基端部側の部分に接続されていた。しかしながら、この腕部６８は、立壁部６６の高さ方向の中央部に接続されていても良く、また、立壁部６６の高さ方向の中央部よりも立壁部６６の先端部側の部分に接続されていても良い。
【００３９】
また、立壁部補強材６０及び腕部補強材６２は、板金製とされていたが、板金製以外でも良い。
【００４０】
また、電子機器１０は、表示器１４を備えていたが、表示器１４を備えていなくても良い。
【００４１】
なお、上記複数の変形例は、適宜、組み合わされて実施可能である。
【００４２】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００４３】
なお、上述の本願の開示する技術の一態様に関し、更に以下の付記を開示する。
【００４４】
（付記１）
開口部が形成された筐体と、
前記開口部に対向して前記筐体内に設けられたスイッチと、
前記開口部の内側に配置されたキートップ部材と、
前記開口部の開口方向を高さ方向として延びて前記開口部の内周面に密着された立壁部と、前記立壁部から前記開口部の内側に向けて延びて前記キートップ部材を支持する腕部と、前記立壁部に設けられた立壁部補強材とを有する止水部材と、
を備えた電子機器。
（付記２）
前記腕部は、前記キートップ部材と前記スイッチとの間に位置すると共に、前記立壁部の高さ方向の中間部から前記開口部の内側且つ前記キートップ部材側に向けて延び、
前記キートップ部材は、前記開口部の開口方向と直交し且つ前記腕部と前記立壁部との接続部を通過する仮想中心線を跨いだ前記腕部の反転動作を伴って前記スイッチを押下する、
付記１に記載の電子機器。
（付記３）
前記開口部、前記スイッチ、及び、前記キートップ部材の中心軸線は、前記筐体の厚み方向に対して傾斜されている、
付記１又は付記２に記載の電子機器。
（付記４）
前記スイッチを支持する支持部と、前記支持部から前記開口部側へ延出する延出部とを有するホルダ部材を備え、
前記立壁部の基端部は、前記延出部の先端部に固定されている、
付記１〜付記３のいずれか一項に記載の電子機器。
（付記５）
前記立壁部の基端部は、前記延出部の先端部に両面テープにより固定されている、
付記４に記載の電子機器。
（付記６）
前記立壁部補強材は、前記立壁部の高さ方向を高さ方向として延びる補強本体部と、この補強本体部の基端部から前記開口部の外側へ折り曲げられた折曲部とを有し、
前記折曲部は、前記開口部における前記延出部側の開口の縁部と前記延出部の先端部との間に挟持されている、
付記４又は付記５に記載の電子機器。
（付記７）
前記止水部材は、前記立壁部補強材と別体とされ、前記腕部の先端部に設けられた腕部補強材を有し、
前記腕部補強材は、前記キートップ部材に固定されている、
付記１〜付記６のいずれか一項に記載の電子機器。
（付記８）
前記腕部補強材は、前記キートップ部材に両面テープにより固定されている、
付記７に記載の電子機器。
（付記９）
前記キートップ部材は、指紋センサモジュールである、
付記１〜付記８のいずれか一項に記載の電子機器。
【符号の説明】
【００４５】
１０  電子機器
１２  筐体
２２  開口部
２６  ホルダ部材
２８  スイッチ
３０  指紋センサモジュール
３２  止水部材
３４  支持部
３６  延出部
６０  立壁部補強材
６２  腕部補強材
６６  立壁部
６８  腕部
７０  補強本体部
７２  折曲部
８０  仮想中心線
８２  中心軸線
【図１】
2014086230.tif 000003
【図２】
2014086230.tif 000004
【図３】
2014086230.tif 000005
【図４】
2014086230.tif 000006